(57)【特許請求の範囲】
【請求項１】
蓄冷剤と該蓄冷剤を収容する扁平容器とからなる蓄冷体において、前記扁平容器を構成する上部水平端側面の両端部に位置する角部には、角部嵌合切欠部が形成されており、また、前記扁平容器を構成する相対する主面のうちの一方の下部水平端側面の両端部に位置する角部には、一方の主面に対して垂直に突出した角部衝合部が形成されているとともに、もう一方の主面は、角部衝合部が形成されていない平坦に形成されており、複数の蓄冷体の前記角部嵌合切欠部が上方に位置し、また、前記角部衝合部が下方に位置するように配置するとともに、一方の蓄冷体の前記角部衝合部を、隣接するもう一方の蓄冷体の前記もう一方の主面に対向するように配置した際には、一方の蓄冷体の角部衝合部の垂直先端面が、もう一方の蓄冷体の前記もう一方の主面に衝合し、隣接する蓄冷体間に、冷気が通過することができる間隙が形成されるように構成されており、複数の蓄冷体のうち、一方の蓄冷体の前記角部衝合部ともう一方の蓄冷体の前記角部嵌合切欠部とが対向するように配置された際には、一方の蓄冷体の前記角部衝合部が、もう一方の蓄冷体の前記角部嵌合切欠部に嵌合されるように構成されていることを特徴とする蓄冷体。
【発明の詳細な説明】
【技術分野】
【０００１】
本発明は、蓄冷剤と該蓄冷剤を収容する扁平容器とからなる蓄冷体に関するものである。
【背景技術】
【０００２】
従来、蓄冷体が積み重ねられた状態で、保冷庫に収容し、蓄冷体を冷却することが行われているが、隣接する蓄冷体間に、所定の間隙を形成することにより、蓄冷体の冷却効率を上げる必要がある。このように、蓄冷体の冷却効率を上げるために、蓄冷体の両面に、それぞれ、互いに嵌合可能な位置決め凹部と位置決め凸部を形成し、蓄冷体が積み重ねられた際に、隣接する蓄冷体間に、所定の間隙が形成されるように構成されている蓄冷体が、一例として、特許文献１に開示されている。
【先行技術文献】
【特許文献】
【０００３】
【特許文献１】特許第３９１９４１７号公報
【発明の概要】
【発明が解決しようとする課題】
【０００４】
上述した蓄冷体が積み重ねられた状態に収容された蓄冷体収容容器を、保冷庫に入れて、蓄冷体を冷却する際には、蓄冷体の冷却効率を上げるために、隣接する蓄冷体間に、所定の間隙が形成される必要があるが、蓄冷体を、冷却することなく、単に、保管のために、蓄冷体収容容器に収容しておく場合には、隣接する蓄冷体間に、間隙が形成されているために、蓄冷体収容容器への蓄冷体の収容効率が悪いという問題があった。
【０００５】
また、中仕切りが配設されていない蓄冷体収容容器に、蓄冷体を立てて、換言すれば、蓄冷体を、蓄冷体収容容器の底部に対して垂直に配設すると、蓄冷体が傾いて収容されるという問題があった。
【０００６】
本発明の目的は、上述した従来の蓄冷体が有する課題を解決することにある。
【課題を解決するための手段】
【０００８】
本発明は、上述した目的を達成するために、蓄冷剤と該蓄冷剤を収容する扁平容器とからなる蓄冷体において、前記扁平容器を構成する上部水平端側面の両端部に位置する角部には、角部嵌合切欠部が形成されており、また、前記扁平容器を構成する相対する主面のうちの一方の下部水平端側面の両端部に位置する角部には、一方の主面に対して垂直に突出した角部衝合部が形成されているとともに、もう一方の主面は、角部衝合部が形成されていない平坦に形成されており、複数の蓄冷体の前記角部嵌合切欠部が上方に位置し、また、前記角部衝合部が下方に位置するように配置するとともに、一方の蓄冷体の前記角部衝合部を、隣接するもう一方の蓄冷体の前記もう一方の主面に対向するように配置した際には、一方の蓄冷体の角部衝合部の垂直先端面が、もう一方の蓄冷体の前記もう一方の主面に衝合し、隣接する蓄冷体間に、冷気が通過することができる間隙が形成されるように構成されており、複数の蓄冷体のうち、一方の蓄冷体の前記角部衝合部ともう一方の蓄冷体の前記角部嵌合切欠部とが対向するように配置された際には、一方の蓄冷体の前記角部衝合部が、もう一方の蓄冷体の前記角部嵌合切欠部に嵌合されるように構成したものである。
【発明の効果】
【０００９】
蓄冷剤と該蓄冷剤を収容する扁平容器とからなる蓄冷体において、扁平容器を構成する相対する主面の上部水平端側面の両端部に位置する角部には、主面に対して垂直に突出した角部衝合部が形成されているとともに、相対する主面の下部水平端側面の両端部に位置する角部には、角部衝合部が嵌合される角部嵌合凹部が形成されており、複数の蓄冷体の角部衝合部同士を、互いに対向するように配置した際には、角部衝合部の垂直先端面同士が衝合し、隣接する蓄冷体間に、冷気が通過することができる間隙が形成されるように構成されており、複数の蓄冷体のうち、一方の蓄冷体の角部衝合部ともう一方の蓄冷体の角部嵌合凹部とが対向するように配置した際には、一方の蓄冷体の角部衝合部が、もう一方の蓄冷体の角部嵌合凹部に嵌合されるように構成したので、蓄冷体収容容器に収容された蓄冷体を効果的に冷却することができるとともに、蓄冷体の蓄冷体収容容器への収容効率を上げることができる。
【００１０】
蓄冷剤と該蓄冷剤を収容する扁平容器とからなる蓄冷体において、扁平容器を構成する上部水平端側面の両端部に位置する角部に、角部嵌合切欠部を形成し、また、扁平容器を構成する相対する主面のうちの一方の下部水平端側面の両端部に位置する角部に、一方の主面に対して垂直に突出した角部衝合部を形成するとともに、もう一方の主面は、角部衝合部が形成されていない平坦に形成されており、複数の蓄冷体の角部嵌合切欠部が上方に位置し、また、角部衝合部が下方に位置するように配置するとともに、一方の蓄冷体の角部衝合部を、隣接するもう一方の蓄冷体の前記もう一方の主面に対向するように配置した際には、一方の蓄冷体の角部衝合部の垂直先端面が、もう一方の蓄冷体の前記もう一方の主面に衝合し、隣接する蓄冷体間に、冷気が通過することができる間隙が形成されるように構成されており、複数の蓄冷体のうち、一方の蓄冷体の角部衝合部ともう一方の蓄冷体の角部嵌合切欠部とが対向するように配置された際には、一方の蓄冷体の角部衝合部が、もう一方の蓄冷体の前記角部嵌合切欠部に嵌合されるように構成したので、蓄冷体収容容器に収容された蓄冷体を効果的に冷却することができるとともに、蓄冷体の蓄冷体収容容器への収容効率を上げることができる。
【図面の簡単な説明】
【００１１】
【図１】図１は、本発明の蓄冷体の斜視図である。
【図２】図２は、同じく、本発明の蓄冷体の斜視図である。
【図３】図３は、本発明の一対の蓄冷体が、対向するように配置された状態の斜視図である。
【図４】図４は、本発明の一対の蓄冷体が、蓄冷体冷却状態に積み重ねられた斜視図である。
【図５】図５は、本発明の一対の蓄冷体が、対向するように配置された状態の斜視図である。
【図６】図６は、本発明の一対の蓄冷体が、蓄冷体収容状態に積み重ねられた斜視図である。
【図７】図７は、本発明の別の実施例の蓄冷体の斜視図である。
【図８】図８は、同じく、本発明の別の実施例の蓄冷体の斜視図である。
【図９】図９は、図７に示されている一対の蓄冷体が、対向するように配置された状態の斜視図である。
【図１０】図１０は、図７に示されている一対の蓄冷体が、蓄冷体冷却状態に積み重ねられた斜視図である。
【図１１】図１１は、図７に示されている一対の蓄冷体が、対向するように配置された状態の斜視図である。
【図１２】図１２は、図７に示されている一対の蓄冷体が、蓄冷体収容状態に積み重ねられた斜視図である。
【図１３】図１３は、図７に示されている一対の蓄冷体の一方が傾動した状態の側面図である。
【実施例】
【００１２】
図１において、Ｃ１は、蓄冷体であり、蓄冷体Ｃ１は、蓄冷剤と該蓄冷剤が収容された、正面形状が略方形状な扁平容器Ｃ１’とから構成されている。
【００１３】
扁平容器Ｃ１’は、蓄冷体Ｃ１同士を重ねて蓄冷体収容容器に収容する際に、互いに対向する平坦な相対する主面１と、扁平容器Ｃ１’の相対する水平端側面２と、扁平容器Ｃ１’の相対する垂直端側面３とから形成されている。
【００１４】
一方の主面１の４つの角部のうち、一方の水平端側面２（図１において、上方に位置する水平端側面で、以下、便宜的に、上部水平端側面と称し、符号２’を付す。）の両端部に位置する２つの角部には、主面１に対して垂直に突出した角部衝合部Ｓ１が形成されている。また、もう一方の主面１の４つの角部のうち、上部水平端側面２’の両端部に位置する２つの角部にも、もう一方の主面１に対して垂直に突出した角部衝合部Ｓ１が形成されている。角部衝合部Ｓ１の垂直先端面ｓ１は、主面１と平行に形成されている。
【００１５】
また、上部水平端側面２’の両端部に位置する角部に形成された角部衝合部Ｓ１間の中間部には、中間嵌合凹部Ｈ１が形成されている。中間嵌合凹部Ｈ１は、相対する主面１を、互いに接近するように凹ますことにより、一方の主面１及びもう一方の主面１に形成されており、上方と前方が開放されている。
【００１６】
一方の主面１の４つの角部のうち、もう一方の水平端側面（図１において、下方に位置する水平端側面で、以下、便宜的に、下部水平端側面と称し、符号２”を付す。）の両端部に位置する２つの角部には、上述した角部衝合部Ｓ１が嵌合される角部嵌合凹部Ｈ２が形成されている。また、もう一方の主面１の４つの角部のうち、下部水平端側面２”の両端部に位置する２つの角部にも、上述した角部衝合部Ｓ１が嵌合される角部嵌合凹部Ｈ２が形成されている。角部嵌合凹部Ｈ２も、上述した中間嵌合凹部Ｈ１と同様に、相対する主面１を、互いに接近するように凹ますことにより形成されており、角部嵌合凹部Ｈ２は、垂直端側面３側と下方と前方が開放されている。また、上述した、角部嵌合凹部Ｈ２間の中間部には、上述した角部衝合部Ｓ１と同様の中間衝合部Ｓ２が形成されている。
【００１７】
上述した角部衝合部Ｓ１の垂直先端面ｓ１及び中間衝合部Ｓ２の垂直先端面ｓ２の主面１からの高さＰ１は、中間嵌合凹部Ｈ１及び角部嵌合凹部Ｈ２の主面１からの深さＶ１と略同じか、それより低く形成されている。
【００１８】
図３に示されているように、複数の蓄冷体Ｃ１を、扁平容器Ｃ１’の主面１が、互いに対向するように、且つ、角部衝合部Ｓ１同士及び中間衝合部Ｓ２同士が、互いに対向するように配置し、その後、隣接する蓄冷体Ｃ１を、互いに接近させた場合には、図４に示されているように、一方の蓄冷体Ｃ１の角部衝合部Ｓ１の垂直先端面ｓ１ともう一方の蓄冷体Ｃ１の角部衝合部Ｓ１の垂直先端面ｓ１とが、互いに衝合するとともに、一方の蓄冷体Ｃ１の中間衝合部Ｓ２の垂直先端面ｓ２ともう一方の蓄冷体Ｃ１の中間衝合部Ｓ２の垂直先端面ｓ２とが、互いに衝合し、一方の蓄冷体Ｃ１の主面１ともう一方の蓄冷体Ｃ１の主面１との間に、蓄冷体Ｃ１を冷却する際に、冷気が通過することができる間隙Ｄ１が形成されるように構成されている。このように構成することにより、蓄冷体収容容器に収容された複数の蓄冷体Ｃ１を効果的に冷却することができる。以下、このような、隣接する蓄冷体Ｃ１間に、冷気が通過することができる間隙Ｄ１が形成されている状態を、蓄冷体冷却状態という。
【００１９】
上述した蓄冷体冷却状態から、一方の蓄冷体Ｃ１（図５において、手前に位置する蓄冷体Ｃ１）を、該蓄冷体Ｃ１の上部水平端側面２’と下部水平端側面２”に平行な中間水平線を中心に、１８０度回転させて、一方の蓄冷体Ｃ１の角部衝合部Ｓ１ともう一方の蓄冷体Ｃ１の角部嵌合凹部Ｈ２とが対向するように配置するとともに、一方の蓄冷体Ｃ１の中間衝合部Ｓ２が、もう一方の蓄冷体Ｃ１の中間嵌合凹部Ｈ１とが対向するように配置し、その後、隣接する蓄冷体Ｃ１を、互いに接近させると、図６に示されているように、一方の蓄冷体Ｃ１の角部衝合部Ｓ１が、もう一方の蓄冷体Ｃ１の角部嵌合凹部Ｈ２に嵌合され、また、一方の蓄冷体Ｃ１の中間衝合部Ｓ２が、もう一方の蓄冷体Ｃ１の中間嵌合凹部Ｈ１に嵌合されることになる。
【００２０】
上述したように、一方の蓄冷体Ｃ１の角部衝合部Ｓ１が、もう一方の蓄冷体Ｃ１の角部嵌合凹部Ｈ２に嵌合され、また、一方の蓄冷体Ｃ１の中間衝合部Ｓ２が、もう一方の蓄冷体Ｃ１の中間嵌合凹部Ｈ１に嵌合されるように構成することにより、複数の蓄冷体Ｃ１を、主面１が対向するように積み重ねた際には、主面１間の距離を短縮することができる。従って、より多くの蓄冷体Ｃ１を、蓄冷体収容容器に収容することができる。以下、このような、一方の蓄冷体Ｃ１の角部衝合部Ｓ１が、もう一方の蓄冷体Ｃ１の角部嵌合凹部Ｈ２に嵌合され、また、一方の蓄冷体Ｃ１の中間衝合部Ｓ２が、もう一方の蓄冷体Ｃ１の中間嵌合凹部Ｈ１に嵌合された状態を、蓄冷体収容状態という。
【００２１】
上述したように、蓄冷体Ｃ１に形成された角部衝合部Ｓ１及び中間衝合部Ｓ２の主面１からの高さＰ１が、中間嵌合凹部Ｈ１及び角部嵌合凹部Ｈ２の主面１からの深さＶ１と略同じか、それより低く形成されているので、蓄冷体Ｃ１の蓄冷体収容状態においては、隣接する蓄冷体Ｃ１の相対する主面１が、略当接、或いは、当接することができるので、蓄冷体収容状態のより多くの蓄冷体Ｃ１を、蓄冷体収容容器に収容することができ、蓄冷体収容状態の蓄冷体Ｃ１の、蓄冷体収容容器への収容効率を上げることができる。
【００２２】
また、蓄冷体Ｃ１を構成する角部衝合部Ｓ１及び角部嵌合凹部Ｈ２が、蓄冷体Ｃ１の主面１の角部に形成されているとともに、蓄冷体Ｃ１を構成する中間衝合部Ｓ２及び中間嵌合凹部Ｈ１が、それぞれ、蓄冷体Ｃ１の相対する水平端側面２に接近して位置する主面１に形成されており、それ以外の主面１には、従来の蓄冷体のように、衝合部や嵌合凹部が形成されていない。
【００２３】
ところで、蓄冷体Ｃ１を冷却する際には、蓄冷体Ｃ１の主面１の中央部領域が、外側に膨出することが知られているが、本発明においては、角部衝合部Ｓ１、中間衝合部Ｓ２、中間嵌合凹部Ｈ１及び角部嵌合凹部Ｈ２が、全て、蓄冷体Ｃ１の角部及び水平端側面２に接近して形成されており、従来の蓄冷体のように、蓄冷体の中央部領域には形成されていないので、蓄冷体の主面の中央部領域の外側への膨出により、蓄冷体収容状態における、角部衝合部Ｓ１への角部嵌合凹部Ｈ２の嵌合及び中間衝合部Ｓ２の中間嵌合凹部Ｈ１への嵌合が阻害されるようなことを防止することができる。
【００２４】
なお、上述した実施例における中間嵌合凹部Ｈ１及び中間衝合部Ｓ２を、適宜、省略することもできる。
【００２５】
次に、図７及び図８を用いて、本発明の別の実施例の蓄冷体Ｃ２について説明する。なお、上述した実施例と共通の部分については、同じ符号が使用されている。
【００２６】
扁平容器Ｃ２’は、上述した実施例における扁平容器Ｃ１’と同様の扁平容器Ｃ２’であり、本実施例においても、互いに対向する平坦な相対する主面１と、扁平容器Ｃ２’の相対する水平端側面２と、扁平容器Ｃ２’の相対する垂直端側面３とから形成されている。
【００２７】
本実施例においては、一方の主面１の４つの角部のうち、上部水平端側面２’と相対する垂直端側面３とにより形成される角部分を切り欠くことにより、上部水平端側面２’の両端部に位置する２つの角部に、角部嵌合切欠部Ｈ２’が形成されている。角部嵌合切欠部Ｈ２’は、上部水平端側面２’に平行な水平部ｈ１と上部水平端側面２’に垂直な垂直部ｈ２とにより形成されている。このように、扁平容器Ｃ２’に、角部嵌合切欠部Ｈ２’を形成することにより、扁平容器Ｃ２’の上部中央部には、上部凸部Ｃ２”が形成されることになる。
【００２８】
また、一方の主面１の４つの角部のうち、下部水平端側面２”の両端部に位置する２つの角部には、一方の主面１に対して垂直に突出した自立兼角部衝合部Ｓ３が形成されている。自立兼角部衝合部Ｓ３は、蓄冷体収容状態において、上述した角部嵌合切欠部Ｈ２’に挿入されるように構成されている。自立兼角部衝合部Ｓ３の主面１から高さＰ１’は、扁平容器Ｃ２’の厚さＶ１’、換言すれば、相対する主面１間の距離と同じか、それよりも若干短く形成されており、自立兼角部衝合部Ｓ３の垂直先端面ｓ３は、主面１と平行に形成されている。また、自立兼角部衝合部Ｓ３の底面ｓ４は、平坦で、主面１に対して垂直に形成されている。このように構成することにより、自立兼角部衝合部Ｓ３の底面ｓ４を、蓄冷体収容容器の平坦な底部に載置した際に、自立兼角部衝合部Ｓ３が、簡単には、倒れることがないように構成されている。
【００２９】
更に、上述した自立兼角部衝合部Ｓ３が形成されている一方の主面１と相対するもう一方の主面１は、図８に示されているように、平坦に形成されており、もう一方の主面１には、自立兼角部衝合部Ｓ３は形成されていない。
【００３０】
上述した上部凸部Ｃ２”の自立兼角部衝合部Ｓ３が形成されている一方の主面１側の上端部には、上部水平端側面２’に接近して、傾倒抑制凸部Ｓ４が形成されている。傾倒抑制凸部Ｓ４の主面１から高さＰ２’は、自立兼角部衝合部Ｓ３の主面１から高さＰ１’より、低く形成されている。
【００３１】
また、上述した自立兼角部衝合部Ｓ３が形成されている一方の主面１の下部水平端側面２”の中央部近傍には、傾倒抑制凸部Ｓ４が嵌合される傾倒抑制凸部用嵌合凹部Ｈ３が形成されている。
【００３２】
図９に示されているように、一方の蓄冷体Ｃ２の自立兼角部衝合部Ｓ３や傾倒抑制凸部Ｓ４が形成されている扁平容器Ｃ２’の一方の主面１と、このような自立兼角部衝合部Ｓ３や傾倒抑制凸部Ｓ４が形成されていない、もう一方の蓄冷体Ｃ２の平坦な主面１が、互いに対向するように配置し、その後、隣接する蓄冷体Ｃ２を、互いに接近させた場合には、図１０に示されているように、一方の蓄冷体Ｃ２に形成された自立兼角部衝合部Ｓ３が、もう一方の蓄冷体Ｃ２の自立兼角部衝合部Ｓ３や傾倒抑制凸部Ｓ４が形成されていない平坦な主面１に当接し、一方の蓄冷体Ｃ２の主面１ともう一方の蓄冷体Ｃ２の主面１との間に、蓄冷体Ｃ２を冷却する際に、冷気が通過することができる間隙Ｄ１’が形成されることになる。従って、蓄冷体収容容器に収容された複数の蓄冷体Ｃ１を効果的に冷却することができる。
【００３３】
上述した蓄冷体冷却状態から、一方の蓄冷体Ｃ２（図１１において、手前に位置する蓄冷体Ｃ２）を、該蓄冷体Ｃ２の上部水平端側面２’と下部水平端側面２”に平行な中間水平線を中心に、１８０度回転させて、一方の蓄冷体Ｃ２の自立兼角部衝合部Ｓ３ともう一方の蓄冷体Ｃ２の角部嵌合切欠部Ｈ２’とが対向するように配置するとともに、その後、一方の蓄冷体Ｃ２ともう一方の蓄冷体Ｃ２とを、互いに接近させた場合には、図１２に示されているように、一方の蓄冷体Ｃ２に形成された自立兼角部衝合部Ｓ３が、もう一方の蓄冷体Ｃ２に形成された角部嵌合切欠部Ｈ２’に嵌合され、また、一方の蓄冷体Ｃ２のに形成された傾倒抑制凸部Ｓ４が、もう一方の蓄冷体Ｃ２に形成された傾倒抑制凸部用嵌合凹部Ｈ３に、挿入されるように構成されている。
【００３４】
上述したように構成されているので、蓄冷体Ｃ２の蓄冷体収容状態においては、隣接する蓄冷体Ｃ２の相対する主面１を、略当接、或いは、当接することができるので、蓄冷体収容状態のより多くの蓄冷体Ｃ２を、蓄冷体収容容器に収容することができ、蓄冷体収容状態の蓄冷体Ｃ２の、蓄冷体収容容器への収容効率を上げることができる。
【００３５】
また、図１３に示されているように、蓄冷体冷却状態になるように、複数の蓄冷体Ｃ２の自立兼角部衝合部Ｓ３の底面ｓ４を、蓄冷体収容容器の平坦な底部Ｆに載置した際に、隣接する一方の蓄冷体（図１３において、右側に位置する蓄冷体）Ｃ２が、もう一方の蓄冷体（図１３において、左側に位置する蓄冷体）Ｃ２方向に傾動した場合には、もう一方の蓄冷体Ｃ２の上部凸部Ｃ２”に形成された傾倒抑制凸部Ｓ４に、一方の蓄冷体Ｃ２の自立兼角部衝合部Ｓ３や傾倒抑制凸部Ｓ４が形成されていない、平坦な主面１が当接し、一方の蓄冷体Ｃ２のもう一方の蓄冷体Ｃ２への傾動を抑制することができるので、蓄冷体Ｃ２が倒れるようなことを防止することができる。
【００３６】
なお、傾倒抑制凸部Ｓ４を省略するとともに、蓄冷体収容状態において、傾倒抑制凸部Ｓ４が嵌合される傾倒抑制凸部用嵌合凹部Ｈ３を省略することもできる。また、自立兼角部衝合部Ｓ３を、上述した角部衝合部Ｓ１や中間衝合部Ｓ２と同様に、単なる、角部衝合部Ｓ３とすることもできる。このように、蓄冷体Ｃ２を構成した場合における蓄冷体Ｃ２の蓄冷体冷却状態及び蓄冷体収容状態は、基本的に、上述した説明と同じであるので、その説明は省略する。
【符号の説明】
【００３７】
Ｃ１、Ｃ２・・・・・・・・・・・・・・蓄冷体
Ｃ１’・・・・・・・・・・・・・・・・扁平容器
Ｓ１・・・・・・・・・・・・・・・・・角部衝合部
Ｓ２・・・・・・・・・・・・・・・・・中間衝合部
Ｓ３・・・・・・・・・・・・・・・・・自立兼角部衝合部
Ｓ４・・・・・・・・・・・・・・・・・傾倒抑制凸部
Ｈ１・・・・・・・・・・・・・・・・・中間嵌合凹部
Ｈ２・・・・・・・・・・・・・・・・・角部嵌合凹部
Ｈ３・・・・・・・・・・・・・・・・・傾倒抑制凸部用嵌合凹部
１・・・・・・・・・・・・・・・・・・主面
２・・・・・・・・・・・・・・・・・・水平短側壁面
３・・・・・・・・・・・・・・・・・・垂直短側壁面
【図１】
0005420501.tif 000002
【図２】
0005420501.tif 000003
【図３】
0005420501.tif 000004
【図４】
0005420501.tif 000005
【図５】
0005420501.tif 000006
【図６】
0005420501.tif 000007
【図７】
0005420501.tif 000008
【図８】
0005420501.tif 000009
【図９】
0005420501.tif 000010
【図１０】
0005420501.tif 000011
【図１１】
0005420501.tif 000012
【図１２】
0005420501.tif 000013
【図１３】
0005420501.tif 000014